(57)【要約】      （修正有）【課題】高圧蒸気滅菌装置に装着された計測センサーのリード線を、簡易に保護することのできる保護具を提供する。【解決手段】上部に開口２ａを備えた被滅菌物を収納して滅菌処理を行う缶体２と、この缶体の上部開口を閉塞する蓋体３と、缶体内に蒸気を供給／又は缶体内で蒸気を発生する蒸気発生手段と、缶体内に収納した被滅菌物周囲の温度、圧力等を計測する計測センサー１０と、該計測センサーと缶体の外部に設けられた計測機器とを接続する缶体の側壁を貫通して配設されたリード線１２と、計測センサー等の計測値に基づき蒸気発生手段等を制御する制御手段とを備えた高圧蒸気滅菌装置のリード線保護具であって、リード線１２を通す筒状部材３０と、該筒状部材３０を略鉛直状態に高圧蒸気滅菌装置の缶体２の側壁内面に添わせた状態で支持する環状バンド４０とから成る。【選択図】図１
0003218773.tif 000002
【実用新案登録請求の範囲】
【請求項１】
上部に開口を備えた被滅菌物を収納して滅菌処理を行う缶体と、この缶体の上部開口を閉塞する蓋体と、上記缶体内に蒸気を供給／又は缶体内で蒸気を発生する蒸気発生手段と、上記缶体内に収納した被滅菌物周囲の温度、圧力等を計測する計測センサーと、該計測センサーと上記缶体の外部に設けられた計測機器とを接続する缶体の側壁を貫通して配設されたリード線と、上記計測センサー等の計測値に基づき上記蒸気発生手段等を制御する制御手段とを備えた高圧蒸気滅菌装置の上記リード線保護具であって、上記リード線を通す筒状部材と、該筒状部材を略鉛直状態に上記缶体の側壁内面に添わせた状態で支持する環状バンドとから成ることを特徴とする、リード線保護具。
【請求項２】
上記筒状部材の下端開口に、上方に向かって徐々に拡幅する傾斜面を有する板状部材が装着されていることを特徴とする、請求項１に記載のリード線保護具。
【請求項３】
上記筒状部材の長手方向中央付近の外周面に、上記環状バンドを係止する凹部が形成されていることを特徴とする、請求項１又は２に記載のリード線保護具。
【請求項４】
上記筒状部材の上端開口に、リード線を通すフレキシブルチューブが装着されていることを特徴とする、請求項１〜３のいずれかに記載のリード線保護具。
【考案の詳細な説明】
【技術分野】
【０００１】
本考案は、リード線保護具に関するもので、特に、高圧蒸気滅菌装置に装着された計測センサー（例えば、温度センサー）のリード線保護具に関するものである。
【背景技術】
【０００２】
生物実験等の培地、医療現場での注射器等の医療廃棄物は、滅菌処理をしなければ廃棄することができない。これらの廃棄物を密閉容器に入れ、高温・高圧の蒸気によって滅菌処理する高圧蒸気滅菌装置は、この分野において広く使用されている。
【０００３】
図８及び図９は、従来技術による高圧蒸気滅菌装置の概念図である。
この高圧蒸気滅菌装置Ｓにおいては、装置の制御センサー以外に、計測センサーである温度センサーＴを取り付け、廃棄物Ｗが入っている滅菌籠Ｋを高圧蒸気滅菌装置Ｓの缶体内に入れ、該装置Ｓに取り付けられた上記温度センサーＴをそれぞれの滅菌籠Ｋの中に差し込み、この状態で、加熱しながらその温度センサーＴにリード線Ｒを介して接続されている計測機器Ｍで滅菌籠Ｋ内部の温度（収納した廃棄物Ｗの周辺温度）を計測しながら、効果的な廃棄物Ｗの滅菌処理を行うことにより、ＧＭＰ（Good Manufacturing Practice）の基準を満足する、廃棄物Ｗの確実な滅菌処理を保証することが成されている（例えば、特許文献１参照）。
【０００４】
しかしながら、この方式では、図８及び図９に示したように、高圧蒸気滅菌装置Ｓの缶体内に温度センサーＴを先端に取り付けた長いリード線Ｒを配設することとなり、該リード線Ｒが、廃棄物Ｗが入っている滅菌籠Ｋを高圧蒸気滅菌装置Ｓの缶体内に入れる際等に接触し、断線等の損傷を受けることが少なからず生じていた。
【先行技術文献】
【特許文献】
【０００５】
【特許文献１】特開２００１−１７０１４１号公報
【考案の概要】
【考案が解決しようとする課題】
【０００６】
本考案は、上述した高圧蒸気滅菌装置に装着された計測センサー（例えば、温度センサー）のリード線を、簡易に保護することのできる保護具を提案することを課題とする。
【課題を解決するための手段】
【０００７】
上記した課題を解決するため、本考案は、次の〔１〕〜〔４〕に記載のリード線保護具とした。
〔１〕上部に開口を備えた被滅菌物を収納して滅菌処理を行う缶体と、この缶体の上部開口を閉塞する蓋体と、上記缶体内に蒸気を供給／又は缶体内で蒸気を発生する蒸気発生手段と、上記缶体内に収納した被滅菌物周囲の温度、圧力等を計測する計測センサーと、該計測センサーと上記缶体の外部に設けられた計測機器とを接続する缶体の側壁を貫通して配設されたリード線と、上記計測センサー等の計測値に基づき上記蒸気発生手段等を制御する制御手段とを備えた高圧蒸気滅菌装置の上記リード線保護具であって、上記リード線を通す筒状部材と、該筒状部材を略鉛直状態に上記缶体の側壁内面に添わせた状態で支持する環状バンドとから成ることを特徴とする、リード線保護具。
〔２〕上記筒状部材の下端開口に、上方に向かって徐々に拡幅する傾斜面を有する板状部材が装着されていることを特徴とする、上記〔１〕に記載のリード線保護具。
〔３〕上記筒状部材の長手方向中央付近の外周面に、上記環状バンドを係止する凹部が形成されていることを特徴とする、上記〔１〕又は〔２〕に記載のリード線保護具。
〔４〕上記筒状部材の上端開口に、リード線を通すフレキシブルチューブが装着されていることを特徴とする、上記〔１〕〜〔３〕のいずれかに記載のリード線保護具。
【考案の効果】
【０００８】
上記した本考案に係るリード線保護具によれば、缶体内に露出した状態で存在したリード線を簡易に保護することができ、しかも、既存の高圧蒸気滅菌装置を何ら設計変更することなく、後付けで容易に取り付けることができる。
【図面の簡単な説明】
【０００９】
【図１】本考案に係るリード線保護具を取り付けた高圧蒸気滅菌装置の一実施形態を概念的に示した一部切欠き斜視図である。
【図２】図１に示した高圧蒸気滅菌装置の使用状態を概念的に示した側面図である。
【図３】図２のＡ部を拡大して示した図である。
【図４】本考案に係るリード線保護具の一実施形態を示した分解斜視図である。
【図５】板状部材の一実施形態を示した斜視図である。
【図６】環状バンドの一実施形態を示した斜視図である。
【図７】本考案に係るリード線保護具の一実施形態を示した斜視図である。
【図８】従来の高圧蒸気滅菌装置を概念的に示した一部切欠き斜視図である。
【図９】図８に示した従来の高圧蒸気滅菌装置の使用状態を概念的に示した側面図である。
【考案を実施するための形態】
【００１０】
以下、本考案に係るリード線保護具の実施形態について、添付の図面を参照しながら詳細に説明する。
【００１１】
図１は、本考案に係るリード線保護具を取り付けた高圧蒸気滅菌装置の一実施形態を概念的に示した一部切欠き斜視図、図２は、図１に示した高圧蒸気滅菌装置の使用状態を概念的に示した側面図である。
この高圧蒸気滅菌装置１においては、上部に開口２ａを備えた被滅菌物（廃棄物）を収納して滅菌処理を行う缶体２と、この缶体２の上部開口２ａを閉塞する蓋体３と、図示は省略したが上記缶体２内に蒸気を供給／又は上記缶体２内で蒸気を発生する蒸気発生手段と、上記缶体２内に収納した被滅菌物周囲の温度を計測する温度センサー１０と、該温度センサー１０と上記缶体２の外部に設けられた計測機器１１とを接続する缶体２の側壁２ｂを貫通して配設されたリード線１２と、上記温度センサーの計測値等に基づき上記蒸気発生手段等を制御する図示しない制御手段とを備えている。
【００１２】
上記缶体２は、滅菌釜と称されたりもする物であり、耐熱性・耐圧性・耐食性などを有する材料、例えばステンレス鋼などの金属で有底円筒形状に形成されている。また、上記温度センサー１０は、代表的一例として抵抗式センサー（金属測温抵抗体）から成るが、他の例として熱電式センサー（熱電対）やサーミスタ式センサーから成ることもある。このような温度センサー１０は、缶体２内に収納された被滅菌物周囲の温度を検出するため、缶体２の側壁２ｂを貫通して配設された長いリード線１２に接続されている。リード線１２の缶体２の貫通部は、図３に示したように、缶体２に円形凹部状の接続口２ｃが形成され、該接続口２ｃの底面に穿設された貫通穴２ｄにリード線１２を通し、缶体２の外方側からコンプレッションフィッティング１３等によってリード線１２を缶体２を貫通した状態で気密に取り付けることが成されている。温度センサー１０は、通常２〜４個程度装着されており、図示した実施形態においては、２個の温度センサー１０が２本のリード線１２によって缶体２の外部に設けられた計測機器１１とそれぞれ接続されている。
【００１３】
缶体２内に露出した状態となる上記リード線１２は、保護具２０によって保護されている。保護具２０は、リード線１２を通す筒状部材３０と、該筒状部材３０を略鉛直状態に缶体２の側壁内面に添わせた状態で支持する環状バンド４０とから成る。
【００１４】
筒状部材３０は、剛性を有し、耐熱性・耐食性に優れる材料、例えばステンレス鋼などの金属で、直径７〜１５ｍｍ、肉厚０．５〜１．５ｍｍ、長さ１０〜３０ｃｍ程度のパイプ状に形成されている。また、該筒状部材２０の長手方向中央付近の外周面には、図４に示したように、環状バンド４０を係止する凹部３１が形成されている。
【００１５】
筒状部材３０の下端開口３０ａには、板状部材３２を装着することができる。該板状部材３２は、やはり剛性を有し、耐熱性・耐食性に優れる材料、例えばステンレス鋼などの金属で形成され、図３、図５等に示したように、上方に筒状部材３０の下端開口３０ａに挿入する接続部３２ａを有し、一側方に缶体２に形成された接続口２ｃに挿入する突起部３２ｂを有し、他側方が上方に向かって徐々に拡幅する傾斜面３２ｃに形成されている。また、板状部材３２の板面には、リード線１２を挿通する穴３３が穿設されている。
【００１６】
また、筒状部材３０の上端開口３０ｂには、リード線１２を通すフレキシブルチューブ３４を装着することができる。該フレキシブルチューブ３４は、容易に曲げることができる管であればよく、ゴム製、樹脂製を広く用いることができる。また、該フレキシブルチューブ３４は、筒状部材３０の上端開口３０ｂに外嵌合、内嵌合のいずれで装着できるものであってもよく、その長さは筒状部材３０の長さを補完してリード線１２を保護すると共に、温度センサー１０の被滅菌物間への装てん作業に支障がない長さのものとする。
【００１７】
環状バンド４０は、高炭素鋼、合金鋼、ステンレス鋼などのばね鋼により帯状に形成されている。そして、該帯状の環状バンド４０を、図６に示したように湾曲させて缶体２内に入れ、図１に示したようにばね鋼により形成したことによる復元力により缶体２の側壁２ｂに圧接し、筒状部材３０を略鉛直状態に缶体２の側壁内面に添わせた状態で支持する。環状バンド４０の両端４０ａ，４０ｂには、互いに係合する係合部４１，４２がそれぞれ形成されている。また、環状バンド４０の長手方向の適所には、筒状部材３０の外周面に形成された凹部３１に嵌り込む折曲部４３が形成されている。
【００１８】
上記した保護具２０は、例えば次のようにして既存の高圧蒸気滅菌装置に容易に取り付けることができる。
【００１９】
先ず、図８に示したように高圧蒸気滅菌装置の缶体内に露出した状態となっているリード線１２を、図４に示したように板状部材３２の板面に穿設された挿通穴３３に通し、続いて下端開口３０ａより筒状部材３０の中空部に通して上端開口３０ｂよりリード線１２を出した状態とする。
【００２０】
続いて、板状部材３２の接続部３２ａを筒状部材３０の下端開口３０ａに挿入して筒状部材３０と板状部材３２とを一体化し（リード線１２を通す上記工程よりも先に筒状部材３０と板状部材３２とを一体化しておいてもよい）、該筒状部材３０と一体化した板状部材３２の突起部３２ｂを、図３に示したようにリード線１２の貫通部となっている缶体２に形成された円形凹部状の接続口２ｃに挿入し、筒状部材３０の下端を位置決めする。
【００２１】
続いて、帯状の環状バンド４０を、図６に示したように湾曲させて缶体２内に入れ、環状バンド４０に形成された折曲部４３を缶体２内において位置決めされた状態にある筒状部材３０の凹部３１に合せ、図１に示したようにばね鋼により形成したことによる復元力により缶体２の側壁２ｂに環状バンド４０を圧接させ、筒状部材３０を略鉛直状態に缶体２の側壁内面に添わせた状態で支持する。
【００２２】
続いて、筒状部材３０の上端開口３０ｂより引き出された状態にあるリード線１２をフレキシブルチューブ３４に通し、フレキシブルチューブ３４を筒状部材３０の上端開口３０ｂに装着する。なお、このフレキシブルチューブ３４へのリード線１２の挿通、及びフレキシブルチューブ３４の筒状部材３０への装着は、必要に応じて行えばよく、また上記した缶体２への環状バンド４０による筒状部材３０の支持前に行ってもよい。
【００２３】
上記のようにして取り付けられた保護具２０は、缶体２内に露出した状態で存在したリード線１２を簡易に保護することができるものとなる。特に、図３に示したように、缶体２の側壁２ｂを貫通して配設されたリード線１２を、板状部材３２によってガイドした状態で筒状部材３０に導いているため、被滅菌物（廃棄物）Ｗが入っている滅菌籠Ｋを高圧蒸気滅菌装置１の缶体２内に入れる際においても、滅菌籠Ｋが直接リード線１２と接触することはなく、リード線１２が断線などの損傷を受けることを効果的に阻止できるものとなる。
【００２４】
また、保護具２０は、図２に示したように、複数本のリード線１２をまとめた状態で上方に導くものとなり、その先端に装着された温度センサー１０を、各滅菌籠Ｋ内に入れられた被滅菌物（廃棄物）Ｗ間に装てんする作業が容易に行えるものとなる。また、複数本のリード線１２がまとめられているので、温度センサー１０の不使用時においても、邪魔とならない位置に束ねるなどの処理も容易なものとなる。
【００２５】
以上、本考案に係るリード線保護具の実施形態を説明したが、本考案は、何ら既述の実施形態に限定されるものではなく、実用新案登録請求の範囲に記載した本考案の技術的思想の範囲内において、種々の変形及び変更が可能であることは当然である。
【産業上の利用可能性】
【００２６】
本考案に係るリード線保護具は、既存の高圧蒸気滅菌装置を何ら設計変更することなく、後付けでも容易に装着できるものであるため、種々の新旧の高圧蒸気滅菌装置に広く使用できるものである。
【符号の説明】
【００２７】
１    高圧蒸気滅菌装置
２    缶体
２ａ    缶体の上部開口
２ｂ    缶体の側壁
２ｃ    缶体の接続口
３    蓋体
１０    温度センサー
１１    計測機器
１２    リード線
１３    コンプレッションフィッティング
２０    保護具
３０    筒状部材
３０ａ    筒状部材の上端開口
３０ｂ    筒状部材の下端開口
３１    凹部
３２    板状部材
３２ａ    板状部材の接続部
３２ｂ    板状部材の突起部
３２ｃ    板状部材の傾斜面
３３    挿通穴
３４    フレキシブルチューブ
４０    環状バンド
４０ａ，４０ｂ    環状バンドの端部
４１，４２    係合部
４３    折曲部
Ｋ    滅菌籠
Ｗ    被滅菌物（廃棄物）
【図１】
0003218773.tif 000003
【図２】
0003218773.tif 000004
【図３】
0003218773.tif 000005
【図４】
0003218773.tif 000006
【図５】
0003218773.tif 000007
【図６】
0003218773.tif 000008
【図７】
0003218773.tif 000009
【図８】
0003218773.tif 000010
【図９】
0003218773.tif 000011